(57)【特許請求の範囲】
【請求項１】
内部に羽根車と電動機を備えて高圧空気を発生する高圧空気発生部と、前記高圧空気発生部に接続した２本のダクトとを備えた送風装置であって、
前記２本のダクトは、ダクト間に距離を有して並列に配置され、それぞれ前方かつ互いに一定の内向き角度を有したスリットを備えた複数のノズルを、前記スリットの長手方向に一列に有し、
前記複数のノズルのうち一方のダクトのノズルと他方のダクトのノズルとは前記長手方向に交互に配置され、
前記一方のダクトのノズルから吹出された高圧気流と前記他方のダクトのノズルから吹出された高圧気流との立体交差点の位置を可変とする風質調節手段を備えた送風装置。
【請求項２】
前記風質調節手段は、２本のダクト間の距離を可変させることを特徴とする請求項１に記載の送風装置。
【請求項３】
前記風質調節手段は、２本のダクトの内向き角度を可変させることを特徴とする請求項１に記載の送風装置。
【発明の詳細な説明】
【技術分野】
【０００１】
本発明は、例えば、送風により清涼感を与えたり空間内の空気循環を促したりする送風装置に関するものである。
【背景技術】
【０００２】
従来、この種の送風装置は、羽根車とモータを台座となる基部に内包して、基部上部に備えられた円環形状の送風部から床面と水平方向に吹出すようにて空気の循環及び空気の流れを生じさせる家庭用送風機が知られている（例えば、特許文献１参照）。
【０００３】
以下、その送風機について図１２および図１３を参照しながら説明する。
【０００４】
図１２は、送風機組立体１００をその正面から見た状態で示している。送風機組立体１００は、中央開口部１０２を画定している環状ノズル１０１を有している。環状ノズル１０１を通る空気流を生じさせるモータ１２２がモータハウジング１２６と共に基部１１６の内部に配置されている。さらに、インペラ（羽根車）１３０が、モータ１２２から外方に延びる回転シャフトに連結され、ディフューザー１３２が、インペラ１３０の下流側に位置決めされているモータ１２２は、電気接続部及び電源に接続され、複数個の選択ボタン１２０により、ユーザは、送風機組立体１００を操作することができる。
【０００５】
上記構成において、送風機組立体１００は、以下のように動作する。ユーザが複数個の選択ボタン１２０の中から選択してモータ１２２が起動される。かくして、空気が空気入口１２４を介して送風機組立体１００内に吸い込まれる。図１３において、空気は、外側ケーシング１１８を通り、インペラ１３０の入口１３４まで流れる。ディフューザー１３２の出口及びインペラ１３０の排気部を出た空気流は、内部通路１１０を通って互いに逆の方向に進む２つの空気流に分けられる。空気流は、口１１２に入る際に絞られ、口１１２の出口１４４で更に絞られる。この絞りにより、システム中に圧力が生じる。このように作られた空気流は、絞りにより生じる圧力に打ち勝ち、空気流は、一次空気流として出口１４４を通って出る。一次空気流は、ガイド部分１４８の形状により、ユーザに向かって集中又は集束して向けられる。二次空気流は、外部環境、特に出口１４４周りの領域及び環状ノズル１０１の外縁部周りからの空気の吸引によって生じる。この二次空気流は、中央開口部１０２を通り、ここで、一次空気流と混ざり合って送風機組立体１００から前方に放出される全空気流が生じる。
【先行技術文献】
【特許文献】
【０００６】
【特許文献１】特開２０１０−０７７９６９号公報
【発明の概要】
【発明が解決しようとする課題】
【０００７】
このような従来の送風装置では、吹出す風の質が固定されたものであり、使用者がその時々に望む風の質に変更できないという課題があった。ここでの風の質とは、使用者が享受する風のスポット風とワイド風の度合いを可変することを指す。
【０００８】
そこで本発明は、上記従来の課題を解決するものであり、使用者が風の質を可変にできる送風装置を提供することを目的とする。
【課題を解決するための手段】
【０００９】
本発明は、内部に羽根車と電動機を備えて高圧空気を発生する高圧空気発生部と、前記高圧空気発生部に接続した２本のダクトとを備えた送風装置であって、前記２本のダクトは、ダクト間に距離を有して並列に配置され、それぞれ前方かつ互いに一定の内向き角度を有した一列のスリット状を備えたノズルを有し、前記一方のダクトのノズルと他方のダクトのノズルは平行にかつ交互に配置し、前記一方のダクトのノズルから吹出された高圧気流と前記他方のダクトのノズルから吹出された高圧気流との立体交差点の位置を可変とする風質調節手段を備えた送風装置であり、これにより所期の目的を達成するものである。
【発明の効果】
【００１０】
本発明によれば、風質調節手段によって立体交差点の位置を可変することでスポット風とワイド風の度合いを調節することとなり、使用者が好みに応じて調節できる送風装置を提供することができる。
【図面の簡単な説明】
【００１１】
【図１】本発明の実施の形態１の送風装置を示す斜視図
【図２】同実施の形態１の送風装置の図１におけるＡ部分拡大図
【図３】同実施の形態１の送風装置の図１におけるＢ部分上面図
【図４】同実施の形態１の送風装置の２本のダクト間の距離を変えた場合の吹出し気流の模式した上面図（（ａ）距離が大きい場合の図、（ｂ）距離が小さい場合の図）
【図５】同実施の形態１の送風装置の２本のダクト間の距離を変えた場合の吹出し気流の模式した斜視図（（ａ）距離が大きい場合の図、（ｂ）距離が小さい場合の図）
【図６】同実施の形態１においてスリット形のノズルを説明する図（（ａ）ノズルの斜視図、（ｂ）縦断面における吹出直後の高圧気流の速度分布の概略上面図）
【図７】同実施の形態１におけるノズルの形状による比較の図（（ａ）環状のノズルから吹出された高圧気流を模擬した斜視図、（ｂ）本発明の実施の形態１の送風装置における一方のダクトのノズルから吹出された高圧気流を模擬した斜視図）
【図８】同実施の形態２の送風装置を示す斜視図
【図９】同実施の形態２の送風装置の図８におけるＣ部分拡大斜視図
【図１０】同実施の形態２の送風装置の図８におけるＣ部分拡大上面図
【図１１】同実施の形態２の送風装置の２本のダクトの内向き角度を変化させた場合における吹出風の流れを模擬した上面図（（ａ）内向き角度が小さい場合の図、（ｂ）内向き角度が大きい場合の図）
【図１２】従来技術の一例を示す斜視図
【図１３】従来技術の一例を示す断面図
【発明を実施するための形態】
【００１２】
本発明の請求項１に係わる送風装置は、内部に羽根車と電動機を備えて高圧空気を発生する高圧空気発生部と、前記高圧空気発生部に接続した２本のダクトとを備えた送風装置であって、前記２本のダクトは、ダクト間に距離を有して並列に配置され、それぞれ前方かつ互いに一定の内向き角度を有した一列のスリットを備えたノズルを有し、前記ノズルのうち一方のダクトのノズルと他方のダクトのノズルは平行にかつ交互に配置し、前記一方のダクトのノズルから吹出された高圧気流と前記他方のダクトのノズルから吹出された高圧気流との立体交差点の位置を可変とする風質調節手段を備えたものである。
【００１３】
これにより、風質調節手段によって立体交差点の位置を可変することでスポット風とワイド風の度合いを調節することとなり、使用者が好みに応じて調節できる。
【００１４】
すなわち、立体交差点が送風装置の遠くに位置している場合、２本のダクトのノズルから吹出された高圧気流は、立体交差点周辺において互いに他方のノズルから吹出された高速気流の影響を受けて両者の中心方向に偏向される。よって、双方の気流が集まって同一方向に向けて流れることになる。これによって、使用者は、流速が大きく受風面積が小さいスポット風を享受することになる。その一方で、立体交差点が送風装置の近くに位置している場合、２本のダクトのノズルから吹出された高圧気流は、ノズルの内壁で生成される境界層の影響によりそれぞれ高圧気流の外周部の流速が低くなるゆえ、立体交差点周辺において偏向されにくくノズルの吹出方向にそのまま流れる。そして、それぞれの高圧気流によって誘引気流が発生する。これによって、使用者は、流速が小さく受風面積は大きいワイド風を享受することになる。
【００１５】
また、請求項２に係わる送風装置は、２本のダクト間の距離を可変させる風質調節手段を備えているものである。
【００１６】
これにより、２本のダクト間の距離が大きい場合、立体交差点は送風装置の遠くに形成されることになる。先述のように、これによって、使用者は、流速が大きく受風面積は小さいスポット風を享受することになる。更に、２本のダクト間の距離の拡大は、高圧気流によって発生する誘引気流の流路を拡げることになるため、誘引流の流量を増加させることが可能になる。その結果、更なる流速の向上が可能になる。
【００１７】
一方で、２本のダクト間の距離が小さい場合、立体交差点は送風装置の近くに形成されることになる。よって先述のように、使用者は、流速が小さく受風面積は大きいワイド風を享受することになる。
【００１８】
その結果、風質調節手段によって立体交差点の位置を可変することでスポット風とワイド風の度合いを調節することとなり、使用者が好みに応じて調節できる。
【００１９】
また、請求項３に係わる送風装置は、２本のダクトの内向き角度を可変させる風質調節手段を備えているものである。
【００２０】
これにより、風質調節手段によって立体交差点の位置を可変することでスポット風とワイド風の度合いを調節することとなり、使用者が好みに応じて調節できる。
【００２１】
すなわち、２本のダクトの内向き角度が小さい場合、立体交差点は送風装置の遠くに形成されることになる。先述のように、これによって、使用者は、流速が大きく受風面積は小さいスポット風を享受することになる。一方で、２本のダクトの内向き角度が大きい場合、立体交差点は送風装置の近くに形成されることになる。よって先述のように、使用者は、流速が小さく受風面積は大きいワイド風を享受することになる。
【００２２】
更に、２本のダクトの稼動範囲が２本のダクトの中心線の直交方向に抑制されることで、送風装置の小型化に寄与することが可能になる。
【００２３】
以下、添付図面を参照して、本発明の実施の形態につき説明し、本発明の理解に供する。なお、以下の実施の形態は、本発明を具体化した一例であって、本発明の技術的範囲を限定する性格のものではない。また、重複を避けるため、全図面を通して、同一の部位については同一の符号を付して二度目以降の説明を省略している。
【００２４】
(実施の形態１)
以下、本発明の実施の形態１について、図１から図７を参照しながらその構成の詳細を説明する。
【００２５】
図１は送風装置の斜視図、図２は図１における送風装置のＡ部分拡大図、図３は図１における送風装置のＢ部分拡大図である。ただし、図３は、後述の高圧空気発生部２および接続路４を省略している。
【００２６】
図１に示すように、送風装置１は、箱体の高圧空気発生部２と２本のダクト３と高圧空気発生部２および２本のダクト３を接続する箱体の接続路４とから構成されている。高圧空気発生部２は２本のダクト３を接続する箱体の接続路４を備えている。２本のダクト３はそれぞれ一端部を接続路４へ接続している。
【００２７】
高圧空気発生部２は、吸込口５と、羽根車６と、電動機７と、羽根車６と電動機７を内包するケーシング３１とを備えている。吸込口５は、高圧空気発生部２の一側面において矩形状に形成されており、羽根車６は、高圧空気発生部２の内部において電動機７の回転軸に接続されている。
【００２８】
２本のダクト３は、ダクト間に距離を有して並列かつ対称に接続路４の一側面を貫通して配置されている。一例として図１のように、高圧空気発生部２の天面に接続路４を配置し、２本のダクト３は、接続路４の一側面である天面から上方へ向けて延設している。
【００２９】
また、図２および図３に示すように、２本のダクト３は、それぞれ前方かつ互いに一定の内向き角度を有して高圧気流を吹出すスリット８（短手方向の幅は３．５ｍｍ、数は計５本）を備えたノズル９を一列に、かつ所定の間隔をあけて配置している。所定の間隔とは、他方のダクトのノズル１７の長さ分に相当する間隔である。スリット８の長手方向は、送風装置１の設置面３０に対して垂直にしている。
【００３０】
また、２本のダクト３において、一方のダクトのノズル１５と他方のダクトのノズル１７が平行に、かつ互いに交互に配置している。
【００３１】
図３に示すように、接続路４の内部において、ダクト３は、送風装置の風質を調整する風質調節手段１１をそれぞれ備えている。風質調節手段１１は、副電動機４１と、回転歯車４２と、棒状歯車４３と、接続路４の上面に内側から一部が重なる空気漏れ防止板４４とから構成されている。回転歯車４２は所定の位置に固定された副電動機４１に接続され、棒状歯車４３は回転歯車４２と噛み合うように位置しながらダクト３から延設されて構成されている。また、ダクト３は空気漏れ防止板４４にはめ込まれて接続されている。
【００３２】
ここで、２本のダクト間の距離を可変させる風質調節手段１１の動作原理について説明する。
【００３３】
図３において、送風装置１の外部から電源が引き込まれて副電動機４１に電気が供給されることで、副電動機４１が移動して回転歯車４２を棒状歯車４３上で回転させる。これによって、棒状歯車４３は他方のダクト３から離れる方向に直線上を移動し、これに伴い棒状歯車４３の延設元に位置するダクト３も同様に他方のダクト３から離れる方向に直線上を移動する。例えば、図３に示すように、回転歯車４２が副電動機４１によって反時計周り方向５１に回転させられた場合、棒状歯車４３およびダクト３は互いに他方のダクトから離れる方向５２に直線上に移動して、一方のダクト３と他方のダクト３とによって形成されるダクト間の距離４５が大きくなる。
【００３４】
その一方で、回転歯車４２が副電動機４１によって時計周り方向５３に回転させられた場合、棒状歯車４３およびダクト３は互いに他方のダクト３に近付く方向５４に直線上に稼動して、ダクト間の距離４５が小さくなる。
【００３５】
なお、空気漏れ防止板４４は、ダクト３の位置に関わらず、常に接続路４内部と外気間の仕切りとなっているため、接続路４内部から外気への空気漏れを抑制することが可能になり、送風装置１の送風性能の低下を抑制できるものである。
【００３６】
上記構成において、送風装置１の動作について詳しく説明する。
【００３７】
まず、送風装置１の外部から電源（図示せず）が引き込まれて電動機７に電気が供給されることで、電動機７が稼動して羽根車６を回転させる。これによって、吸込口５から取り入れた空気を圧縮して高圧空気を発生させる。そして、高圧空気発生部２によって発生した高圧空気は、接続路４を径由して２本のダクト３内に流されてノズル９から吹出される。一方のダクトのノズル１５と他方のダクトのノズル１７は互いに交互に配置していることで、２本のダクト３のそれぞれのノズル９から吹出した高圧気流は２本のダクト３間の中心線である中心軸２０上の立体交差点１４で立体的に交差することとなる。この立体交差点１４の送風装置１からの距離を変化させることでそれぞれのノズル９からの高圧気流の偏向の程度が変化し、風の質も変化する。
【００３８】
さて、この偏向の程度つまり風の質は、２本のダクト間の距離によって変化させることができる。
【００３９】
ここで、ダクト間の距離４５が小さい場合および大きい場合のそれぞれに関して、立体交差点１４の送風装置１からの距離および風の質に関して以下に説明を加える。
【００４０】
一般的に、第一気流が一定の流速を有して流れている状況下において、周囲の空気が第一気流に誘引されて流れる第二気流が発生する。そして第二気流は、第一気流に近付くほど流速が高くなると同時に、第一気流と同等の速度方向成分を有するようになる。
【００４１】
この現象は、誘引される周囲の空気の流速の有無に関わらず見られる現象である。例えば、誘引される周囲の空気が流速を有して既に第二気流として流れている場合、一方のダクトのノズル１５による気流と他方のダクトのノズル１７による気流の両方が互いに他方の気流の速度方向成分を有するようになる。
【００４２】
立体交差点１４周辺で発生するこの現象の程度の違いによる高圧気流の偏向の程度の変化により、風の質の変化が生じる。
【００４３】
図４および図５は、それぞれ２本のダクト間の距離が大きい場合と小さい場合における本発明の実施の形態１の送風装置１の吹出風の流れを模擬した平面図および斜視図である。ただし、図４および図５は２本のダクトのノズルの簡略図のみを示している。また、図６は一般的なノズルの吹出直後の高圧気流の速度分布の概略図、図７は環状のノズルおよび本発明の実施の形態１の送風装置における一方のダクトのノズルから吹出された高圧気流を模擬した比較斜視図である。
【００４４】
まず、前述の風質調節手段１１によって２本のダクト３間の距離が大きい場合について説明する。このとき、立体交差点１４は、送風装置１からの距離が大きくなる。図４（ａ）および図５（ａ）に示すように、立体交差点１４周辺において、一方のダクトのノズル１５から吹出された一方の高圧気流１６には、他方のダクトのノズル１７から吹出された他方の高圧気流１８の速度方向成分が加味される。同様に、他方の高圧気流１８には、一方の高圧気流１６の速度方向成分が加味される。
【００４５】
その結果、両者の高圧気流は、両者の偏向前の高圧気流の中心方向に偏向される。つまり、偏向後の高圧気流は、送風装置１の中心軸２０方向に流れることになる。
【００４６】
これによって、一定の内向き角度を有するノズルから吹出された高圧気流は、偏向前も偏向後も流速は大きく受風面積が小さいスポット風として流れることになる。
【００４７】
また、高圧気流に誘引されて２本のダクト３間の距離の拡大によって拡げられた空間を流れる図４（ａ）に示す立体交差点より上流側で誘引される上流域誘引気流４６の流量が増加するため、更なる流速の向上が期待できる。
【００４８】
次に、前述の風質調節手段１１によって２本のダクト３間の距離が小さい場合について説明する。このとき、立体交差点１４は、送風装置１からの距離が小さくなる。２本のダクト３間の距離が大きい場合と同様に、図４（ｂ）および図５（ｂ）に示すように、立体交差点１４周辺において、一方のダクトのノズル１５から吹出された一方の高圧気流１６と、他方のダクトのノズル１７から吹出された他方の高圧気流１８とが交差する。
【００４９】
図６は、一般ノズルのスリット形のノズルを説明する図である。
【００５０】
図６（ａ）に示すように、一般ノズル７１から気流９１が吹き出されているとき、図６（ｂ）に示すように、一般ノズル先端部９２周辺のからの吹出直後の気流９１は、一般ノズルの内壁７２で生成される境界層７３の影響により外周部の流速が小さくなる。
【００５１】
したがって、立体交差点１４周辺においては流速の小さい部分で気流同士が接することになり、流速の大きい主流同士が接することはない。つまり、小さい流速の気流の偏向は起きるが、大きい流速の主流の偏向は起きない。その結果、一方のダクトのノズル１５および他方のダクトのノズル１７から吹出された一方の高圧気流１６および他方の高圧気流１８は、ノズルの吹出方向にそのまま流れる。そして、それぞれの高圧気流によって図４に示す立体交差点より下流側で誘引される下流域誘引気流４７が発生する。これによって、使用者は、流速が小さく受風面積は大きいワイド風を享受することになる。
【００５２】
また、下流域誘引気流４７の流量は、高圧気流の流速と共に高圧気流が外気に接する面積に比例して多くなる。
【００５３】
前述した気流の性質と同様に、気流同士は集まって流れる性質を有している。例えば、図７（ａ）に示すように、環状のノズル７６から吹出された高圧気流は環の中心軸７７に集まって流れる。
【００５４】
しかし、本構造におけるダクト３から吹出されたそれぞれ５本の高圧気流は、図７（ｂ）に示すように、同間隔、同流速で流れており、それぞれの高圧気流が下流域でダクトを延設した方向では集まりにくい。その結果、高圧気流が外気に接する面積が増加して、下流域誘引気流４７の流量が増加するため、流量の向上が期待できる。
【００５５】
以上より、風質調節手段１１により２本のダクト３間の距離を調整することで、流速は大きく受風面積が小さいスポット風から、流速は小さく受風面積が大きいワイド風まで可変にすることができる。
【００５６】
また、風質を変化させる際に気流同士の衝突によるエネルギーの損失が発生しないため、流速や流量の低下を招くことがない。
【００５７】
なお、本実施の形態では、高圧空気発生部２および接続路４を箱体に形成しているが、形状に特に制限は無い。
【００５８】
また、本実施の形態では、吸込口５を矩形状に形成しているが、十分に空気を吸い込むことができれば、形状に特に制限は無い。
【００５９】
また、本実施の形態では、ノズル９のスリット８の短手方向の幅を３．５ｍｍに設定しているが、特に制限は無い。ただし、ノズル９のスリット８の長手方向の幅や高圧空気発生部２の送風性能にも依存するが、使用者が一定の流速を有する気流を享受するためには、２０ｍｍ程度以下に設定するのが望ましい。
【００６０】
また、本実施の形態では、２本のダクト３それぞれに設けられたスリットは５本に設定しているが、特に制限は無い。ただし、先述したように、スリットの数つまり高圧気流の数を増やすほど、各高圧気流が下流域で集まりにくくなり、流量の向上が期待できるため、可能な限り多く設定するのが望ましい。
【００６１】
また、本実施の形態では、ノズル９のスリット８の長手方向が送風装置１の設置面３０に対して垂直になるような構成としているが、スリット８の長手方向が送風装置１の設置面３０に対して平行になるような構成にしてもよい。なお、スリット８が設置面３０に対して一定の角度を有して傾いているような構成にしてもよい。
【００６２】
（実施の形態２）
実施の形態２において、実施の形態１と同様の構成要件については同一の符号を付し、その詳細な説明は省略する。
【００６３】
以下、本発明の実施の形態２について、図８および図１０を参照しながらその構成の詳細を説明する。
【００６４】
図８は送風装置の斜視図、図９は図８における送風装置のＣ部分拡大斜視図、図１０は図８における送風装置のＣ部分拡大上面図である。ただし、図９および図１０は高圧空気発生部２および接続路４を省略している。
【００６５】
図９および図１０に示すように、接続路４の内部において、ダクト３は、送風装置の風質を調整する風質調節手段１１をそれぞれ備えている。ダクト３は、少なくとも接続路４の内部において円筒形状となっている。風質調節手段１１は、副電動機８１と回転歯車８２とダクト円周歯車８３とから構成されている。回転歯車８２は所定の位置に固定された副電動機８１に接続され、ダクト円周歯車８３は回転歯車８２と噛み合うように位置しながらダクト３の外周に敷設されて構成されている。
【００６６】
実施の形態１と同様に、偏向の程度つまり風の質は、風質調節手段１１によって設定される立体交差点１４の送風装置１からの距離によって変化する。この距離は２本のダクトの内向き角度によって変化させることもできる。
【００６７】
まず、２本のダクトの内向き角度を可変させる風質調節手段１１の動作原理について説明する。
【００６８】
図９および図１０において、送風装置１の外部から電源（図示せず）が引き込まれて副電動機８１に電気が供給されることで、副電動機８１が稼動して回転歯車８２をダクト円周歯車８３上で回転させる。これによって、ダクト円周歯車８３は回転移動し、これに伴いダクト円周歯車８３の敷設元であるダクト３も同様に回転移動する。
【００６９】
例えば、図１０に示すように、回転歯車８２が副電動機８１によって図面に向かって時計周り８４に回転した場合、ダクト円周歯車８３およびダクト３は図面に向かって時計回り８５に回転することで、ダクト３のノズル９の吹出軸８８と中心軸２０とで形成される内向き角度９０を小さくすることができる。
【００７０】
その一方で、回転歯車８２が副電動機８１によって図面に向かって反時計回り８４に回転した場合、ダクト円周歯車８３およびダクト３は図面に向かって時計回り８５に回転することで、ダクト３の内向き角度９０を大きくすることができる。
【００７１】
上記構成において、内向き角度９０の小さい場合および大きい場合のそれぞれに関して、立体交差点の送風装置からの距離および風の質に関して以下に説明を加える。図１１は、内向き角度９０が小さい場合と大きい場合における本発明の実施の形態２の送風装置の吹出風の流れを模擬した平面図である。ただし、図１１は２本のダクト３のノズル９の簡略図のみを示している。
【００７２】
まず、２本のダクト３の内向き角度９０が小さい場合について説明する。このとき、立体交差点１４は、送風装置１からの距離が大きくなる。
【００７３】
実施の形態１と同様に、一方の高圧気流１６は、偏向前に有している速度方向成分と同程度の割合で他方の高圧気流１８が有している速度方向成分が加味される。同様に、他方の高圧気流１８も、偏向前に有している速度方向成分と同程度の割合で一方の高圧気流１６が有している速度方向成分が加味される。
【００７４】
その結果、図１１（ａ）に示すように、両者の高圧気流は、両者の偏向前の高圧気流の中心方向に偏向される。つまり、偏向後の高圧気流は、送風装置１の中心軸２０方向に流れることになる。
【００７５】
これによって、一定の内向き角度９０を有するノズルから吹出された高圧気流は、偏向前も偏向後も流速は大きく受風面積が小さいスポット風として流れることになる。
【００７６】
次に、２本のダクト３の内向き角度９０が大きい場合について説明する。このとき、立体交差点１４は、送風装置１からの距離が小さくなる。
【００７７】
前述同様に、図１１（ｂ）に示すように、ノズルから吹出された高圧気流は、ノズルの吹出方向にそのまま流れる。そして、それぞれの高圧気流によって下流域誘引気流が発生する。
【００７８】
これによって、使用者は、流速が小さく受風面積は大きいワイド風を享受することになる。
【００７９】
以上より、風質調節手段１１により２本のダクト３の内向き角度９０を調整することで、流速は大きく受風面積が小さいスポット風から、流速は小さく受風面積が大きいワイド風まで可変にすることができる。
【産業上の利用可能性】
【００８０】
本発明にかかる送風装置は、気流同士の衝突によるエネルギーの損失を発生させずに、使用者が風の質を可変にできる送風装置として有用である。
【符号の説明】
【００８１】
１    送風装置
２    高圧空気発生部
３    ダクト
４    接続路
５    吸込口
６    羽根車
７    電動機
８    スリット
９    ノズル
１１    風質調節手段
１４    立体交差点
１５    一方のダクトのノズル
１６    一方の高圧気流
１７    他方のダクトのノズル
１８    他方の高圧気流
２０    中心軸
３０    設置面
４１    副電動機
４２    回転歯車
４３    棒状歯車
４４    空気漏れ防止板
４５    ダクト間の距離
４６    上流域誘引気流
４７    下流域誘引気流
７１    一般ノズル
７２    一般ノズルの内壁
７３    境界層
７４    両端
７６    環状のノズル
７７    環の中心軸
８１    副電動機
８２    回転歯車
８３    ダクト円周歯車
８４    反時計回り
８５    時計回り
８６    時計回り
８７    反時計回り
８８    吹出軸
９０    内向き角度
９１    気流
９２    一般ノズル先端部
１００    送風機組立体
１０１    環状ノズル
１０２    中央開口部
１１０    内部通路
１１２    口
１１６    基部
１１８    外側ケーシング
１２０    選択ボタン
１２２    モータ
１２４    空気入口
１２６    モータハウジング
１３０    インペラ
１３２    ディフューザー
１３４    入口
１４４    出口
１４８    ガイド部分
【図１】
0006543809.tif 000002
【図２】
0006543809.tif 000003
【図３】
0006543809.tif 000004
【図４】
0006543809.tif 000005
【図５】
0006543809.tif 000006
【図６】
0006543809.tif 000007
【図７】
0006543809.tif 000008
【図８】
0006543809.tif 000009
【図９】
0006543809.tif 000010
【図１０】
0006543809.tif 000011
【図１１】
0006543809.tif 000012
【図１２】
0006543809.tif 000013
【図１３】
0006543809.tif 000014